(57)【要約】【課題】  落石防止工法において網目状ないしは格子状に交差されるワイヤロープの交差部を締結する締結具を軽量化するとともに、締結強度を大きくする。【解決手段】  締結具１の第一および第二の締付体２，１０は、それぞれ底部３，１４と、周壁部４，１５と、周壁部４，１５に設けられたロープ嵌合溝８，９，１６，１７を有しており、周壁部４，１５の先端側同士をそれぞれ対向されるようにして向かい合わされ、互いに交差するワイヤロープ８ａ，８ｂをロープ嵌合溝８，９，１６，１７にそれぞれ嵌合されるとともに、ワイヤロープ８ａ，８ｂの交差部を底部３，１４間に収容した状態で、雄ねじ２１等の締付手段を用いて互いに締め付けられることにより、ロープ嵌合溝８，９，１６，１７部分でワイヤロープ１８ａ，１８ｂを挾持する。【選択図】    図１４
2006132583.tif 000002
【特許請求の範囲】
【請求項１】
落石防止工法において網目状ないしは格子状に交差されるワイヤロープの交差部を締結するワイヤロープ交差部締結具であって、
底部と、この底部から立ち上がる周壁部と、この周壁部に設けられた、該周壁部の先端側から前記底部側に落ち込む第一のロープ嵌合溝と、ねじ挿通穴および（または）ねじ穴とを有する第一の締付体と、
前記第一の締付体とは別体であって、底部と、この底部から立ち上がる周壁部と、この周壁部に設けられた、該周壁部の先端側から前記底部側に落ち込む第二のロープ嵌合溝と、ねじ挿通穴および（または）ねじ穴とを有する第二の締付体とを有してなり、
前記第一および第二の締付体は、前記周壁部の先端側同士をそれぞれ対向されるようにして向かい合わされ、互いに交差する前記ワイヤロープを前記第一のロープ嵌合溝および前記第二のロープ嵌合溝にそれぞれ嵌合されるとともに、前記ワイヤロープの交差部を該第一および第二の締付体の前記底部間に収容した状態で、前記ねじ挿通穴に挿通された雄ねじおよび（または）前記ねじ穴に螺合された雄ねじを用いて互いに締め付けられることにより、前記第一のロープ嵌合溝および前記第二のロープ嵌合溝部分で前記ワイヤロープをそれぞれ挾持するようになっているワイヤロープ交差部締結具。
【請求項２】
前記第一および第二の締付体の両方が、前記周壁部に設けられた、該周壁部の先端側から前記底部側に落ち込む第一および第二のロープ嵌合溝をそれぞれ有しており、
前記第一および第二の締付体は、前記第一のロープ嵌合溝同士および前記第二のロープ嵌合溝同士がそれぞれ対向されるようにして向かい合わされ、前記第一のロープ嵌合溝間および前記第二のロープ嵌合溝間に互いに交差する前記ワイヤロープをそれぞれ嵌合されるとともに、前記ワイヤロープの交差部を前記底部間に収容した状態で、前記第一のロープ嵌合溝間および前記第二のロープ嵌合溝間で前記ワイヤロープをそれぞれ挾持するようになっている請求項１記載のワイヤロープ交差部締結具。
【請求項３】
前記第一および第二の締付体の前記第一および第二のロープ嵌合溝は、それぞれ前記周壁部のうちの２箇所の部分に分断されて設けられている請求項１または２記載のワイヤロープ交差部締結具。
【請求項４】
前記ねじ挿通穴および（または）前記ねじ穴は前記底部に設けられている請求項１乃至３のいずれかに記載のワイヤロープ交差部締結具。
【請求項５】
前記第一および第二の締付体はそれぞれ金属製で、プレス絞り加工により容器状とされている請求項１乃至４のいずれかに記載のワイヤロープ交差部締結具。
【請求項６】
落石防止工法において網目状ないしは格子状に交差されるワイヤロープの交差部を締結するワイヤロープ交差部締結構造であって、
底部と、この底部から立ち上がる周壁部と、この周壁部に設けられた、該周壁部の先端側から前記底部側に落ち込む第一のロープ嵌合溝とを有する第一の締付体と、
前記第一の締付体とは別体であって、底部と、この底部から立ち上がる周壁部と、この周壁部に設けられた、該周壁部の先端側から前記底部側に落ち込む第二のロープ嵌合溝とを有する第二の締付体と、
前記第一および第二の締付体を締め付ける締付手段とを有してなり、
前記第一および第二の締付体は、前記周壁部の先端側同士をそれぞれ対向されるようにして向かい合わされ、互いに交差する前記ワイヤロープを前記第一のロープ嵌合溝および前記第二のロープ嵌合溝にそれぞれ嵌合されるとともに、前記ワイヤロープの交差部を該第一および第二の締付体の前記底部間に収容した状態で、前記締付手段により締め付けられることにより、前記第一のロープ嵌合溝および前記第二のロープ嵌合溝部分で前記ワイヤロープをそれぞれ挾持しているワイヤロープ交差部締結構造。
【発明の詳細な説明】
【技術分野】
【０００１】
本発明は、ワイヤロープを網目状ないしは格子状に交差させて、斜面（法面）の浮石や転石を押さえ、落石を防止する落石防止工法において、ワイヤ交差部を締結するワイヤロープ交差部締結具および締結構造に関する。
【背景技術】
【０００２】
従来より、この種のワイヤロープ交差部締結具としては、例えば、特許文献１〜４に示されるように、ロープ嵌合溝をそれぞれ設けられた２個ないしは３個の金属製の締付体を、前記ロープ嵌合溝に互いに交差するワイヤロープを嵌合した状態で、ボルト等により互いに締め付けてワイヤロープを挾持するものが知られている。そして、従来のこのような形式のワイヤロープ交差部締結具としては、締付体を鋳物或いは鍛造製とし、締付体の厚みを厚くしたものが通常使用されていたが、締付体を比較的薄い金属板からプレス加工したものも存在した。
【特許文献１】特開２００３−１２９４８４号公報
【特許文献２】特開２００３−２０６５３５号公報
【特許文献３】特開２００４−  ７６２９４号公報
【特許文献４】特開２００４−２４４９４６号公報
【発明の開示】
【発明が解決しようとする課題】
【０００３】
実際に前記落石防止工法を施工するときは、一人一人の作業者が多数のワイヤロープ交差部締結具を腰にぶら下げる等して自ら携行し、斜面で作業を行うことになる。しかるに、前記従来の鋳物或いは鍛造製のワイヤロープ交差部締結具は、重いため、その重量により作業者が斜面上でバランスを崩してしまい、斜面から転落して重大な事故となることがあるという問題があった。
【０００４】
他方、プレス加工品からなる従来のワイヤロープ交差部締結具は、軽量とすることはできるが、ロープ嵌合溝は設けられていても全体に平板に近い形状とされていたので、剛性が小さいため、締め付けても締付体に対しワイヤロープが滑ってしまい、十分な締結強度が得られないという問題があった。
【０００５】
本発明は、このような従来の事情に鑑みてなされたもので、本発明の目的は、ワイヤロープ交差部締結具を軽量とすることができるワイヤロープ交差部締結具およびワイヤロープ交差部締結構造を提供することにある。
【０００６】
本発明の他の目的は、締結強度を大きくすることができるワイヤロープ交差部締結具およびワイヤロープ交差部締結構造を提供することにある。
【０００７】
本発明のさらに他の目的は、以下の説明から明らかになろう。
【課題を解決するための手段】
【０００８】
本発明によるワイヤロープ交差部締結具は、落石防止工法において網目状ないしは格子状に交差されるワイヤロープの交差部を締結するワイヤロープ交差部締結具であって、
落石防止工法において網目状に交差されるワイヤロープの交差部を締結するワイヤロープ交差部締結具であって、
底部と、この底部から立ち上がる周壁部と、この周壁部に設けられた、該周壁部の先端側から前記底部側に落ち込む第一のロープ嵌合溝と、ねじ挿通穴および（または）ねじ穴とを有する第一の締付体と、
前記第一の締付体とは別体であって、底部と、この底部から立ち上がる周壁部と、この周壁部に設けられた、該周壁部の先端側から前記底部側に落ち込む第二のロープ嵌合溝と、ねじ挿通穴および（または）ねじ穴とを有する第二の締付体とを有してなり、
前記第一および第二の締付体は、前記周壁部の先端側同士をそれぞれ対向されるようにして向かい合わされ、互いに交差する前記ワイヤロープを前記第一のロープ嵌合溝および前記第二のロープ嵌合溝にそれぞれ嵌合されるとともに、前記ワイヤロープの交差部を該第一および第二の締付体の前記底部間に収容した状態で、前記ねじ挿通穴に挿通された雄ねじおよび（または）前記ねじ穴に螺合された雄ねじを用いて互いに締め付けられることにより、前記第一のロープ嵌合溝および前記第二のロープ嵌合溝部分で前記ワイヤロープをそれぞれ挾持するようになっているものである。
【０００９】
また、本発明によるワイヤロープ交差部締結構造は、落石防止工法において網目状ないしは格子状に交差されるワイヤロープの交差部を締結するワイヤロープ交差部締結構造であって、
底部と、この底部から立ち上がる周壁部と、この周壁部に設けられた、該周壁部の先端側から前記底部側に落ち込む第一のロープ嵌合溝とを有する第一の締付体と、
前記第一の締付体とは別体であって、底部と、この底部から立ち上がる周壁部と、この周壁部に設けられた、該周壁部の先端側から前記底部側に落ち込む第二のロープ嵌合溝とを有する第二の締付体と、
前記第一および第二の締付体を締め付ける締付手段とを有してなり、
前記第一および第二の締付体は、前記周壁部の先端側同士をそれぞれ対向されるようにして向かい合わされ、互いに交差する前記ワイヤロープを前記第一のロープ嵌合溝および前記第二のロープ嵌合溝にそれぞれ嵌合されるとともに、前記ワイヤロープの交差部を該第一および第二の締付体の前記底部間に収容した状態で、前記締付手段により締め付けられることにより、前記第一のロープ嵌合溝および前記第二のロープ嵌合溝部分で前記ワイヤロープをそれぞれ挾持しているものである。
【００１０】
本発明においては、ワイヤロープ交差部締結具の各締付体は、底部と周壁部とを有し、周壁部にロープ嵌合溝を設けられているので、全体の肉厚を薄くし、軽量化することができる。何故ならば、周壁部を十分高くしさえすれば、各締付体の厚みを厚くしなくても、ロープ嵌合溝の深さを十分な深さとすることができるからである。
【００１１】
また、各締付体は、底部と周壁部とを有しているので、剛性を大きくし、これにより締結強度を大きくすることができる。
【００１２】
さらに、各ワイヤロープは、各締付体のロープ嵌合溝間で挾持されるだけではなく、互いの交差部において湾曲した状態で互いに重なり合うので、これによってもロープ交差部のすべりを抑止し、締結強度を大きくすることができる。
【００１３】
また、第一および第二の締付体を金属製とするとともに、プレス絞り加工により容器状とすれば、各締付体の剛性を大きくし、さらに一層締結強度を大きくすることができる。
【発明の効果】
【００１４】
本発明のワイヤロープ交差部締結具および締結構造においては、ワイヤロープ交差部締結具を軽量化するとともに締結強度を大きくすることができる。
【発明を実施するための最良の形態】
【００１５】
以下、本発明を図面に示す実施例に基づいて説明する。
【実施例１】
【００１６】
図１〜１５は本発明の実施例１を示している。図１〜５は本実施例におけるワイヤロープ交差部締結具１の第一の締付体２を示しており、この第一の締付体２は、基本的には鋼鉄等の金属板をプレス絞り加工により容器状に成形してなり、大略おむすび形をなす底部３と、この底部３の周縁部から全周に渡って立ち上がった周壁部４とを有している。前記底部３には、雌ねじを設けられていない２つのねじ挿通穴５，６と１つのバーリング加工されたねじ穴７とが設けられている。前記周壁部４には、該周壁部４の先端４ａ（上端）から底部３側に落ち込む第一のロープ嵌合溝８の第一の部分８ａおよび第二の部分８ｂ、並びに第二のロープ嵌合溝９の第一の部分９ａおよび第二の部分９ｂが設けられている。前記第一のロープ嵌合溝８の第一および第二の部分８ａ，８ｂは、周壁部４のうちの互いに対向する２箇所の位置に分断されて設けられている。同様にして、前記第二のロープ嵌合溝９の第一および第二の部分９ａ，９ｂは、周壁部４のうちの互いに対向する２箇所の位置に分断されて設けられている。そして、前記第一および第二のロープ嵌合溝８，９は互いに垂直をなす方向に設けられている。前記第一のロープ嵌合溝８の第一および第二の部分８ａ，８ｂの底面、並びに第二のロープ嵌合溝９の第一および第二の部分９ａ，９ｂの底面はそれぞれ横断面円弧状とされている。
【００１７】
図６〜１０は本実施例におけるワイヤロープ交差部締結具１の第二の締付体１０を示しており、この第二の締付体１０も、基本的には鋼鉄等の金属板をプレス絞り加工により容器状に成形してなり、基本的には第一の締付体２と上下対称形状とされているが、第一の締付体２と異なり、雌ねじを有するねじ穴は設けられておらず、３つのねじ挿通穴１１，１２，１３を設けられている。すなわち、この第二の締付体１０も、大略おむすび形をなす底部１４と、この底部１４の周縁部から全周に渡って立ち上がった周壁部１５とを有している。前記底部１４には、前記ねじ挿通穴１１，１２，１３が設けられている。前記周壁部１５には、該周壁部１５の先端１５ａ（下端）から底部１４側に落ち込む第一のロープ嵌合溝１６の第一の部分１６ａおよび第二の部分１６ｂ、並びに第二のロープ嵌合溝１７の第一の部分１７ａおよび第二の部分１７ｂが設けられている。前記第一のロープ嵌合溝１６の第一および第二の部分１６ａ，１６ｂは、周壁部１５のうちの互いに対向する２箇所の位置に分断されて設けられている。同様にして、前記第二のロープ嵌合溝１７の第一および第二の部分１７ａ，１７ｂは、周壁部１５のうちの互いに対向する２箇所の位置に分断されて設けられている。そして、前記第一および第二のロープ嵌合溝１６，１７は互いに垂直をなす方向に設けられている。前記第一のロープ嵌合溝１６の第一および第二の部分１６ａ，１６ｂの底面、並びに第二のロープ嵌合溝１７の第一および第二の部分１７ａ，１７ｂの底面はそれぞれ横断面円弧状とされている。
【００１８】
なお、本実施例においては、第一および第二の締付体２，１０の各ロープ嵌合溝８，９，１６，１７の横断面の円弧の径は、ワイヤロープの呼び径より若干小さくされている。ただし、各ロープ嵌合溝８，９，１６，１７の横断面の円弧の径は、種々の条件に応じて適宜に定めることができる。
【００１９】
また、本実施例では、第一および第二の締付体２，１０の第一および第二のロープ嵌合溝８，９，１６，１７は切削加工により加工されているが、これらのロープ嵌合溝８，９，１６，１７はプレス加工で加工したり、他の加工方法で加工してもよい。
【００２０】
図１１および１２は、本実施例におけるワイヤロープ１８（図１３〜１５では、互いに交差するワイヤロープを区別するために１８ａ，１８ｂと符号を付けている）を示しており、ワイヤロープ１８は３本のストランド１９を撚り合わせてなり、各ストランド１９はさらに複数の鋼線２０（素線）を撚り合わせてなる。ただし、図１１においては、便宜上、各ストランド１９を単線として描いている。また、次に説明する図１３〜１５においては、便宜上、ワイヤロープ１８全体をあたかも単線であるかのように描き、その横断面も円形に描いているが、実際にはワイヤロープ１８の端面は図１２のようになっており、ワイヤロープ１８の径は位置によって異なつている。
【００２１】
図１３〜１５は、本実施例におけるワイヤロープ交差部締結構造を示している。第一および第二の締付体２，１０は、第一のロープ嵌合溝８，１６同士、第二のロープ嵌合溝９，１７同士をそれぞれ対向されるようにして向かい合わされ、第一のロープ嵌合溝８，１６間および第二のロープ嵌合溝９，１７間に互いに交差するワイヤロープ１８ａ，１８ｂをそれぞれ嵌合されるとともに、ワイヤロープ１８ａ，１８ｂの交差部を底部３，１４間の空間に収容した状態で、ねじ挿通穴５，１１，６，１２に挿通された雄ねじ（ボルト）１９，２０およびこれらの雄ねじ１９，２０に螺合されたナット２２（雄ねじ１９に螺合されたナットは図示していない）、並びにねじ挿通穴１３に挿通されるとともにねじ穴７に螺合された雄ねじ（ボルト）２１により互いに締め付けられている。これにより、第一および第二の締付体２，１０の第一のロープ嵌合溝８，１６間および第二のロープ嵌合溝９，１７間でワイヤロープ１８ａ，１８ｂがそれぞれ挾持されている。そして、各ワイヤロープ１８ａ，１８ｂは、互いの交差部において湾曲した状態で互いに重なり合っている。
【００２２】
なお、本実施例では、適正に締め付けられた後も、第一および第二の締付体２，１０間に若干の間隙２３が残るようにされているが、本発明においては、締付完了後には第一および第二の締付体２，１０が互いに当接されるようにしてもよい。
【００２３】
このワイヤロープ交差部締結具１および締結構造においては、各締付体２，１０は、底部３，１４と周壁部４，１５とを有し、周壁部４，１５にロープ嵌合溝８，９，１６，１７を設けられているので、全体の肉厚を薄くし、軽量化することができる。何故ならば、周壁部４，１５を十分高くしさえすれば、各締付体２，１０の厚みを厚くしなくても、ロープ嵌合溝８，９，１６，１７の深さを十分な深さとすることができるからである。
【００２４】
また、各締付体２，１０は、底部３，１４と周壁部４，１５とを有しているので、剛性を大きくし、これにより締結強度を大きくすることができる。特に、本実施例では、各締付体２，１０がプレス絞り加工により容器状とされているので、各締付体２，１０の剛性をより大きくし、締結強度をより大きくすることができる。
【００２５】
また、各ワイヤロープ１８ａ，１８ｂは、各締付体２，１０のロープ嵌合溝８，９，１６，１７間で挾持されるだけではなく、互いの交差部において湾曲した状態で互いに重なり合うので、これによってもロープ交差部のすべりを抑止し、締結強度を大きくすることができる。
【００２６】
なお、本実施例では、雄ねじ１９，２０，２１およびナット２２等に締め付けられることにより、ワイヤロープ１８ａ，１８ｂの交差部が第一および第二の締付体２，１０の底部３，１４間でも挾持されるようになっているが、本発明においては、必ずしもワイヤロープ１８ａ，１８ｂの交差部が第一および第二の締付体２，１０の底部３，１４間では挾持されなくてもよい。ただし、ワイヤロープ１８ａ，１８ｂの交差部が第一および第二の締付体２，１０の底部３，１４間でも挾持されるようにすれば、締結強度のより一層の増大を期待できる。
【実施例２】
【００２７】
図１６は、本発明の実施例２を示している。本実施例においては、第一および第二の締付体２，１０に設けられたロープ嵌合溝８，９，１６，１７は、横断面台形状とされている。他の構成は実施例１の場合と同様である。
【００２８】
本発明においては、ロープ嵌合溝の横断面形状は、実施例１のように該溝の底面の横断面が円弧状となる形状に限られることはなく、本実施例のように横断面台形状としてもよいし、その他の形状、例えば、三角形状等としてもよい。
【実施例３】
【００２９】
図１７は、本発明の実施例３を示している。本実施例においては、第一の締付体２には第一のロープ嵌合溝８のみ、第二の締付体１０には第二のロープ嵌合溝１７のみが設けられており、第一および第二の締付体２，１０が締め付けられたとき、ワイヤロープ１８ａは第一の締付体２の第一のロープ嵌合溝８と第二の締付体１０の周壁部１５の先端１５ａのうちのロープ嵌合溝が設けられていない部分との間に、ワイヤロープ１８ｂは第二の締付体１０のロープ嵌合溝１７と第一の締付体２の周壁部４の先端４ａのうちのロープ嵌合溝が設けられていない部分との間にそれぞれ挾持されるようになっている。他の構成は前記実施例１と同様である。
【００３０】
本実施例においても前記実施例１と同様の作用効果を得ることができる。また、締付体の製造コストを低減することが可能である。ただし、実施例１の場合の方が、第一および第二の締付体２，１０の両方に第一および第二のロープ嵌合溝８，９，１６，１７が設けられており、各ワイヤロープ１８ａ，１８ｂが両方の締付体２，１０のロープ嵌合溝８，９，１６，１７に両側から嵌合されるので、締結強度をより大きくするという点では有利と考えられる。
なお、本発明におけるワイヤロープ交差部締結具１は、アンカーは挿通しない所謂クロスクリップとしてのみならず、斜面に挿入するアンカーを挿通される所謂クロスアンカークリップとしても使用できるものである。
【００３１】
また、本発明における締付体の形状は、実施例以外の形状でもよく、例えば大略正方形、矩形、円形、三角形、小判型等であってもよい。
【００３２】
また、前記各実施例では、一方の締付体（具体的には第一の締付体２）にねじ穴７とねじ挿通穴５，６との両方を設けているが、一方の締付体にねじ穴のみ設けたり、両方の締付体に雌ねじがないねじ挿通穴のみを設けてもよい。
【００３３】
また、前記各実施例では、各締付体２，１０の底部３，１４に雄ねじ挿通穴（または）ねじ穴を設けているが、各締付体の底部以外の部分に雄ねじ挿通穴（または）ねじ穴を設けてもよい（例えば、周壁部４，１５の先端から外側に広がるフランジ状部を設け、該フランジ状部に雄ねじ挿通穴（または）ねじ穴を設けてもよい）。
【００３４】
さらに、前記各実施例では、雄ねじ、ナット、および締付体に設けたねじ穴（雌ねじ）を締付手段とし、これらにより第一および第二の締付体を締め付けているが、本発明においては、他の締付手段により第一および第二の締付体を締め付けるようにしてもよい。
【産業上の利用可能性】
【００３５】
以上のように本発明によるワイヤロープ交差部締結具およびワイヤロープ交差部締結構造は、ワイヤロープを網目状ないしは格子状に交差させて、落石を防止する落石防止工法において、ワイヤ交差部を締結する締結具および締結構造として有用である。
【図面の簡単な説明】
【００３６】
【図１】本発明の実施例１におけるワイヤロープ交差部締結具の第一の締付体を示す斜視図である。
【図２】前記第一の締付体を示す平面図である。
【図３】前記第一の締付体を示す正面図である。
【図４】前記第一の締付体を示す側面図である。
【図５】前記第一の締付体を示す底面図である。
【図６】本発明の実施例１におけるワイヤロープ交差部締結具の第二の締付体を示す斜視図である。
【図７】前記第二の締付体を示す平面図である。
【図８】前記第二の締付体を示す正面図である。
【図９】前記第二の締付体を示す側面図である。
【図１０】前記第二の締付体を示す底面図である。
【図１１】前記実施例１におけるワイヤロープを示す側面図である。
【図１２】図１１のＸＩＩ−ＸＩＩ線における拡大端面図である。
【図１３】前記実施例１におけるワイヤロープ交差部締結構造を示す平面図である。
【図１４】図１３のＸＩＶ−ＸＩＶ線における断面図である。
【図１５】図１３のＸＶ−ＸＶ線における断面図である。
【図１６】本発明の実施例２におけるワイヤロープ交差部締結具のロープ嵌合溝部分を示す横断面図である。
【図１７】本発明の実施例３におけるワイヤロープ交差部締結構造を示す斜視図である。
【符号の説明】
【００３７】
１    ワイヤロープ交差部締結具
２    第一の締付体
３    底部
４    周壁部
４ａ  周壁部の先端
５，６  ねじ挿通穴
７    ねじ穴（締付手段）
８    第一のロープ嵌合溝
８ａ  第一のロープ嵌合溝の第一の部分
８ｂ  第一のロープ嵌合溝の第二の部分
９    第二のロープ嵌合溝
９ａ  第二のロープ嵌合溝の第一の部分
９ｂ  第二のロープ嵌合溝の第二の部分
１０    第二の締付体
１１，１２，１３  ねじ挿通穴
１４    底部
１５    周壁部
１５ａ  周壁部の先端
１６    第一のロープ嵌合溝
１６ａ  第一のロープ嵌合溝の第一の部分
１６ｂ  第一のロープ嵌合溝の第二の部分
１７    第二のロープ嵌合溝
１７ａ  第二のロープ嵌合溝の第一の部分
１７ｂ  第二のロープ嵌合溝の第二の部分
１８，１８ａ，１８ｂ  ワイヤロープ
１９，２０，２１  雄ねじ（ボルト、締付手段）
２２    ナット（締付手段）
【図１】
2006132583.tif 000003
【図２】
2006132583.tif 000004
【図３】
2006132583.tif 000005
【図４】
2006132583.tif 000006
【図５】
2006132583.tif 000007
【図６】
2006132583.tif 000008
【図７】
2006132583.tif 000009
【図８】
2006132583.tif 000010
【図９】
2006132583.tif 000011
【図１０】
2006132583.tif 000012
【図１１】
2006132583.tif 000013
【図１２】
2006132583.tif 000014
【図１３】
2006132583.tif 000015
【図１４】
2006132583.tif 000016
【図１５】
2006132583.tif 000017
【図１６】
2006132583.tif 000018
【図１７】
2006132583.tif 000019